(57)【要約】【課題】  既存のネットフェンスをメッシュフェンスに安価に且つ短期間に改装することができる。【解決手段】  ハット形鋼からなり、リップの上部に上胴縁引っ掛け用上部爪１Ａ、下部に下胴縁引っ掛け用下部爪１Ｃが形成された、既設ネットフェンスの支柱１を利用した新設メッシュフェンスであって、上部爪１Ａに引っ掛けられる上部継手金具８と、下部爪１Ｃに引っ掛けられる下部継手金具と、上部継手金具８および前記下部継手金具を介して支柱１に固定される、胴縁１１Ａを有するメッシュパネル１１と、既設支柱１の頭部に嵌め込まれるキャップ９とを備え、キャップ９は、キャップ本体９Ａと、キャップ本体９Ａに設けられた、内側に突起９Ｃが形成された押え板９Ｂとを備え、突起９Ｃは、キャップ９が支柱１の頭部に嵌め込まれる際に、上部継手金具８に形成された開口内に、押え板９Ｂの有する弾性力により嵌め込まれ、かくして、上部継手金具８は、支柱１にワンタッチで固定される。【選択図】  図１
2006225891.tif 000002
【特許請求の範囲】
【請求項１】
形鋼またはパイプからなる支柱を備えた既設フェンスの改装方法であって、前記既設支柱から前記既設支柱以外のフェンス構成部材を取り外し、次いで、このようにして残した前記既設支柱に継手金具を介して新設フェンス本体を固定し、かくして、既設フェンスを新設フェンスに改装することを特徴とする、既設フェンスの改装方法。
【請求項２】
前記継手金具を、前記既設支柱にもともと形成されている部材を利用して前記既設支柱に取り付けることを特徴とする、請求項１記載の、既設フェンスの改装方法。
【請求項３】
前記既設支柱は、ハット形鋼からなり、前記既設支柱にもともと形成されている部材は、前記既設支柱のリップに形成されている胴縁引っ掛け用爪であることを特徴とする、請求項２記載の、既設フェンスの改装方法。
【請求項４】
支柱がハット形鋼からなる既設フェンスの改装方法であって、前記既設支柱から上胴縁、下胴縁およびフェンス用パネルを取り外し、次いで、このようにして残した前記既設支柱のリップの上部にもともと形成されている、前記上胴縁の引っ掛け用上部爪に上部継手金具を引っ掛け、前記上部継手金具を上部固定手段により前記既設支柱に固定し、前記既設支柱のリップの下部にもともと形成されている、前記下胴縁の引っ掛け用下部爪に下部継手金具を引っ掛け、前記下部継手金具を下部固定手段により前記既設支柱に固定し、そして、前記上部継手金具および前記下部継手金具を介して新設フェンス本体を固定し、かくして、既設フェンスを新設フェンスに改装することを特徴とする、既設フェンスの改装方法。
【請求項５】
前記フェンス用パネルは、菱形金網であることを特徴とする、請求項４記載の、既設フェンスの改装方法。
【請求項６】
前記上部固定手段および前記下部固定手段は、ボルト締結手段からなることを特徴とする、請求項４または５記載の、既設フェンスの改装方法。
【請求項７】
前記上部固定手段は、前記支柱の頭部に嵌め込むキャップからなり、前記下部固定手段は、ボルト締結手段からなり、前記キャップは、これを前記既設支柱の頭部に嵌め込む際に、キャップ本体の押え板に形成された突起を前記上部継手金具に形成された開口内に、前記押え板の有する弾性力により嵌め込むことによって、前記上部継手金具を前記既設支柱にワンタッチで固定可能であることを特徴とする、請求項４または５記載の、既設フェンスの改装方法。
【請求項８】
前記新設フェンス本体は、それぞれ胴縁を有するメッシュパネル、目隠しパネルまたは格子パネルからなることを特徴とする、請求項１から７の何れか１つに記載の、既設フェンスの改装方法。
【請求項９】
ハット形鋼からなり、リップの上部に上胴縁引っ掛け用上部爪、下部に下胴縁引っ掛け用下部爪が形成された、既設フェンスの支柱を利用した新設フェンスであって、前記上部爪に引っ掛けられる上部継手金具と、前記下部爪に引っ掛けられる下部継手金具と、前記上部継手金具および前記下部継手金具を介して前記既設支柱に固定される新設フェンス本体と、前記既設支柱の頭部に嵌め込まれるキャップとを備え、前記キャップは、キャップ本体と、前記キャップ本体に設けられた、内側に突起が形成された押え板とを備え、前記突起は、前記キャップが前記既設支柱の頭部に嵌め込まれる際に、前記上部継手金具に形成された開口内に、前記押え板の有する弾性力により嵌め込まれ、かくして、前記上部継手金具は、前記既設支柱にワンタッチで固定されることを特徴とするフェンス。
【請求項１０】
前記新設フェンス本体は、それぞれ胴縁を有するメッシュパネル、目隠しパネルまたは格子パネルからなることを特徴とする、請求項９記載のフェンス。
【発明の詳細な説明】
【技術分野】
【０００１】
この発明は、既設フェンスの改装方法およびフェンス、特に、既設フェンスを新設フェンスに短期間に、しかも安価に改装することができる、既設フェンスの改装方法および改装されたフェンスに関するものである。
【背景技術】
【０００２】
従来から広く構築されているフェンスとしてネットフェンスがある。このネットフェンスは、図７および図８に示すように、ハット形鋼からなる支柱１と、支柱１間に固定された、アングル鋼からなる上、下胴縁２（上胴縁のみ図示）と、上、下胴縁２間に取り付けられた菱形金網３とからなっている。上胴縁２は、ナックル加工された菱形金網３の上端部に挿通した鉄線４を、上胴縁２の垂直部に形成された爪２Ａに引っ掛けることによって菱形金網３の上端部に取り付けられている。下胴縁（図示せず）の菱形金網３への取り付けは、爪２Ａの向きが上下逆になっている点を除いて、上胴縁の場合と同様である。
【０００３】
上胴縁２の垂直部は、支柱１のリップの上部に形成された上部爪１Ａ内に挿入され、上胴縁２の水平部は、支柱１のウェブに挿通されたボルト５により固定金具６を介して固定されている。固定金具６は、上胴縁２の水平部が嵌め込まれる溝６Ａを有し、袋ナット７によって固定されている。下胴縁の支柱１への固定構造は、上部爪１Ａの向きが上下逆になっている点を除いて、上胴縁の場合と同様である。
【発明の開示】
【発明が解決しようとする課題】
【０００４】
このように構成されているネットフェンスは、年月が経過すると、支柱１に生じた錆、菱形金網３の破れや変形によって、美観が著しく損なわれ、場合によってはフェンスとしての機能が失われる場合もある。
【０００５】
このような欠陥を有するフェンスは、新規に構築し直すのが最良であるが、構築費用がかかるので、破損部分のみを新たな部材に取り替える改装が得策である。改装する場合であっても、より安価に短期間で構築することが強く望まれている。
【０００６】
しかしながら、現在のところかかる要望を満足する、既設フェンスの改装方法は提案されていない。
【０００７】
一方で、菱形金網３を用いたネットフェンスに比べて美観が優れていることから人気が高まっているメッシュフェンスが近年、主流になりつつある。メッシュフェンスは、フェンス用パネルとして、上、下端部を種々の形状に折り曲げて胴縁を形成した鋼線材製縦桟に鋼線材製横桟を溶接により接合してフェンス用パネルを構成し、この後、このパネルに樹脂被覆を施したものである。
【０００８】
従って、この発明の目的は、既設フェンスを新設フェンスに短期間に、しかも安価に改装することができ、また、既存のネットフェンスをメッシュフェンスに安価に且つ短期間に改装することができる、既設フェンスの改装方法および改装されたフェンスを提供することにある。
【課題を解決するための手段】
【０００９】
そこで、本願発明者等は、上述した要望に答えるべく、鋭意検討を重ねた結果、以下のような知見を得た。
【００１０】
年月の経過によって、菱形金網３に破れや変形が生じたネットフェンスであっても、多くの場合、支柱が変形したり、支柱の強度は低下していない。従って、この既設支柱を新設フェンスにそのまま利用すれば、初めから支柱を構築し直す場合に比べて、工期も費用も大幅に削減することが可能である。しかも、専用の継手金具を用いれば、ネットフェンスの既設支柱にメッシュフェンスを容易に取り付けることが可能である。
【００１１】
この発明は、上記知見に基づきなされたものであって、下記を特徴とするものである。
【００１２】
請求項１記載の発明は、形鋼またはパイプからなる支柱を備えた既設フェンスの改装方法であって、前記既設支柱から前記既設支柱以外のフェンス構成部材を取り外し、次いで、このようにして残した前記既設支柱に継手金具を介して新設フェンス本体を固定し、かくして、既設フェンスを新設フェンスに改装することに特徴を有するものである。
【００１３】
請求項２記載の発明は、請求項１記載の発明において、継手金具を、既設支柱にもともと形成されている部材を利用して既設支柱に取り付けることに特徴を有するものである。
【００１４】
請求項３記載の発明は、請求項２記載の発明において、既設支柱は、ハット形鋼からなり、既設支柱にもともと形成されている部材は、既設支柱のリップに形成されている胴縁引っ掛け用爪であることに特徴を有するものである。
【００１５】
請求項４記載の発明は、支柱がハット形鋼からなる既設フェンスの改装方法であって、前記既設支柱から上胴縁、下胴縁およびフェンス用パネルを取り外し、次いで、このようにして残した前記既設支柱のリップの上部にもともと形成されている、前記上胴縁の引っ掛け用上部爪に上部継手金具を引っ掛け、前記上部継手金具を上部固定手段により前記既設支柱に固定し、前記既設支柱のリップの下部にもともと形成されている、前記下胴縁の引っ掛け用下部爪に下部継手金具を引っ掛け、前記下部継手金具を下部固定手段により前記既設支柱に固定し、そして、前記上部継手金具および前記下部継手金具を介して新設フェンス本体を固定し、かくして、既設フェンスを新設フェンスに改装することに特徴を有するものである。
【００１６】
請求項５記載の発明は、請求項４記載の発明において、フェンス用パネルは、菱形金網であることに特徴を有するものである。
【００１７】
請求項６記載の発明は、請求項４または５記載の発明において、上部固定手段および下部固定手段は、ボルト締結手段からなることに特徴を有するものである。
【００１８】
請求項７記載の発明は、請求項４または５記載の発明において、上部固定手段は、支柱の頭部に嵌め込むキャップからなり、下部固定手段は、ボルト締結手段からなり、前記キャップは、これを既設支柱の頭部に嵌め込む際に、キャップ本体の押え板に形成された突起を上部継手金具に形成された開口内に、前記押え板の有する弾性力により嵌め込むことによって、上部継手金具を既設支柱にワンタッチで固定可能であることに特徴を有するものである。
【００１９】
請求項８記載の発明は、請求項１から７の何れか１つに記載の発明において、新設フェンス本体は、それぞれ胴縁を有するメッシュパネル、目隠しパネルまたは格子パネルからなることに特徴を有するものである。
【００２０】
請求項９記載の発明は、ハット形鋼からなり、リップの上部に上胴縁引っ掛け用上部爪、下部に下胴縁引っ掛け用下部爪が形成された、既設フェンスの支柱を利用した新設フェンスであって、前記上部爪に引っ掛けられる上部継手金具と、前記下部爪に引っ掛けられる下部継手金具と、前記上部継手金具および前記下部継手金具を介して前記既設支柱に固定される新設フェンス本体と、前記既設支柱の頭部に嵌め込まれるキャップとを備え、前記キャップは、キャップ本体と、前記キャップ本体に設けられた、内側に突起が形成された押え板とを備え、前記突起は、前記キャップが前記既設支柱の頭部に嵌め込まれる際に、前記上部継手金具に形成された開口内に、前記押え板の有する弾性力により嵌め込まれ、かくして、前記上部継手金具は、前記既設支柱にワンタッチで固定されることに特徴を有するものである。
【００２１】
請求項１０記載の発明において、請求項９記載の発明において、新設フェンス本体は、それぞれ胴縁を有するメッシュパネル、目隠しパネルまたは格子パネルからなることに特徴を有するものである。
【発明の効果】
【００２２】
この発明によれば、既設フェンスを新設フェンスに安価に且つ短期間に改装することができる、既設フェンスの改装方法および改装されたフェンスを提供することができる。
【発明を実施するための最良の形態】
【００２３】
この発明の、既設フェンスの改装方法の一実施態様を、図面を参照しながら説明する。
【００２４】
図１は、この発明によって改装されたメッシュフェンスの支柱と上胴縁との固定部分を示す部分斜視図、図２は、この発明によって改装されたメッシュフェンスの支柱と下胴縁との固定部分を示す部分斜視図、図３は、この発明の改装方法におけるキャップによる上部継手金具の固定方法を示す斜視図、図４は、この発明の改装方法に使用するキャップを示す背面図、図５は、この発明の改装方法に使用するキャップを示す側面図、図６は、図４のＡ−Ａ線切断部端面図である。
【００２５】
図１から図３において、１は、ハット形鋼からなる既設ネットフェンスの支柱、８は、支柱１の上部に固定された上部継手金具、９は、上部継手金具８を支柱１に固定するキャップ、１０は、支柱１の下部に固定された下部継手金具であり、上部継手金具８と同一のものであり、上部継手金具８を１８０°回転させて使用される。１１は、上部継手金具８および下部継手金具１０を介して支柱１に固定された、リング状上胴縁１１Ａを有するメッシュパネルからなる新設フェンス本体である。
【００２６】
上部継手金具８は、上部爪１Ａに引っ掛けられる。上部爪１Ａは、既設ネットフェンスの上胴縁２（図７、図８参照）を引っ掛けるために、支柱１のリップの上部にもともと形成されているものであり、下から上に向って形成されている。上部継手金具８の中央下部には突出部８Ａが形成され、ここに上部爪１Ａに引っ掛けたときに、上部爪１Ａとの間に隙間があかないようになっている。上部継手金具８の中央部には、２つの開口８Ｂが形成され、両側には、新設フェンス本体１１の上胴縁１１Ａを固定する固定板８Ｃが形成され、固定板８Ｃには、新設フェンス本体固定用ボルト孔８Ｄが形成されている。そして、開口８Ｂ間には、上部継手金具固定用ボルト孔８Ｅが形成されている。
【００２７】
キャップ１２は、金属あるいは樹脂製で、図４、図５および図６に示すように、キャップ本体９Ａと、キャップ本体９Ａの背面側下端に下方に伸びて形成された押え板９Ｂとからなっている。押え板９Ｂの内側には、下細りに形成された楔状の２つの第１突起９Ｃが形成されている。キャップ本体９Ａの正面側には、支柱１のウェブに形成されたボルト孔１Ｂ（図３、図６参照）に挿入される第２突起９Ｄ（図６参照）が形成されている。ボルト孔１Ｂは、既設ネットフェンスの上胴縁２を固定するためにもともと形成されている。上部継手金具８は、後述するように、キャップ９の第１突起９Ｃを上部継手金具８の開口８Ｂに嵌め込むと共に、キャップ９の第２突起９Ｄを支柱１のボルト孔１Ｂに嵌め込むことによって固定されるが、支柱１のボルト孔１Ｂと上部継手金具８のボルト孔８Ｅとにボルト（図示せず）を挿通して固定しても良い。
【００２８】
下部継手金具１０は、上述したように、上部継手金具８と同一のものである。なお、下部継手金具１０の構成部材は、８Ａから８Ｅとして示す。下部継手金具１０は、図２に示すように、既設ネットフェンスに形成された下部爪１Ｃに下部継手金具１０の突出部８Ａを引っ掛け、支柱１のボルト孔１Ｄと下部継手金具１０のボルト孔８Ｅとにボルト１２を挿通して固定される。下部爪１Ｃは、既設ネットフェンスの下胴縁を引っ掛けるために、支柱１のリップの下部にもともと形成されているものであり、上から下に向って形成されている。支柱１のボルト孔１Ｄは、既設ネットフェンスの下胴縁を固定するためにもともと形成されている。
【００２９】
このように構成されている、この発明の改装メッシュフェンスの構築方法の一例を説明する。
【００３０】
先ず、支柱１がハット形鋼からなる既設フェンスの支柱１から、上、下胴縁２および菱形金網３（図７、図８参照）を取り外す。次いで、このようにして残した既設支柱１のリップの上部にもともと形成されている上部爪１Ａに上部継手金具８を引っ掛けて、上部継手金具８を仮置きする。次いで、キャップ９を支柱１の頭部に乗せ、キャップ９をゴムハンマー等で叩く。これによって、キャップ９の押え板９Ｂに形成された第１突起９Ｃは、上部継手金具８の外面上を滑り降り、開口８Ｂに至ると、押え板９Ｂの弾性力によって開口８Ｂ内に嵌まり込む。これにより、上部継手金具８が押え板９Ｂによって押えられて、上部継手金具８が支柱１に固定される。これと同時に、キャップ９の第２突起９Ｄが支柱１のボルト孔１Ｂに嵌まり込む。
【００３１】
このようにして、上部継手金具８が支柱１にワンタッチで固定される。第１突起９Ｃが嵌まり込んだ後は、第１突起９Ｃの上面が開口８Ｂの上面に当接するので、第２突起９Ｄがボルト孔１Ｂに嵌まり込むことと相俟って、キャップ９を引き抜き力が作用しても、キャップ９が外れることはない。
【００３２】
次に、上部継手金具８と同じものを１８０°回転させて下部継手金具１０とし、これを支柱１のリップの下部にもともと形成されている下部爪１Ｃに引っ掛ける。次いで、支柱１のボルト孔１Ｄと下部継手金具１０のボルト孔８Ｅとにボルト１３を挿通して、下部継手金具１０を支柱１に固定する。
【００３３】
このようにして、上部および下部継手金具８、１０の固定が完了したら、上部および下部継手金具８、１０の固定板８Ｃに、メッシュパネル１１の胴縁１１Ａを、固定板８Ｃのボルト孔８Ｄにボルト１３を挿通し、当て板１４を介して固定する。かくして、既設ネットフェンスがメッシュフェンスに改装される。
【００３４】
以上の例は、支柱１がハット形鋼からなる既設ネットフェンスをメッシュフェンスに改装する場合であるが、ハット形鋼以外の形鋼またはパイプからなる既設フェンスの支柱をそのまま利用し、この既設支柱に新設フェンス本体を継手金具を介して固定して、新設フェンスに改装しても良く、これにより、工期および費用を大幅に削減することができる。この場合、既設支柱にもともと形成されている爪、突起等を利用して、継手金具を既設支柱に取り付けても良い。
【００３５】
また、以上の例は、既設支柱１に取り付けられているフェンス用パネルが菱形金網であるが、これ以外のパネルであっても良い。
【００３６】
さらに、以上の例は、新設フェンス本体が胴縁を有するメッシュパネルであるが、胴縁を有する目隠しパネル、または、胴縁を有する格子フェンスであっても良い。
【図面の簡単な説明】
【００３７】
【図１】この発明によって改装されたメッシュフェンスの支柱と上胴縁との固定部分を示す部分斜視図である。
【図２】この発明によって改装されたメッシュフェンスの支柱と下胴縁との固定部分を示す部分斜視図である。
【図３】この発明の改装方法におけるキャップによる上部継手金具の固定方法を示す斜視図である。
【図４】この発明の改装方法に使用するキャップを示す背面図である。
【図５】この発明の改装方法に使用するキャップを示す側面図である。
【図６】図４のＡ−Ａ線切断部端面図である。
【図７】ネットフェンスを示す部分正面図である。
【図８】ネットフェンスを示す部分側面図である。
【符号の説明】
【００３８】
１：支柱
１Ａ：上部爪
１Ｂ：ボルト孔
１Ｃ：下部爪
１Ｄ：ボルト孔
２：胴縁
２Ａ：爪
３：菱形金網
４：鉄線
５：ボルト
６：固定金具
６Ａ：溝
７：袋ナット
８：上部継手金具
８Ａ：突出部
８Ｂ：開口
８Ｃ：固定板
８Ｄ：ボルト孔
８Ｅ：ボルト孔
９：キャップ
９Ａ：キャップ本体
９Ｂ：押え板
９Ｃ：第１突起
９Ｄ：第２突起
１０：下部継手金具
１１：新設パネル本体
１２：ボルト
１３：ボルト
１４：当て板
【図１】
2006225891.tif 000003
【図２】
2006225891.tif 000004
【図３】
2006225891.tif 000005
【図４】
2006225891.tif 000006
【図５】
2006225891.tif 000007
【図６】
2006225891.tif 000008
【図７】
2006225891.tif 000009
【図８】
2006225891.tif 000010